(57)【要約】【課題】筆記の妨げとなることを抑制することができる綴じ具を提供する。【解決手段】綴じ具は、棒状のベース及び該ベースから突出し、前記ベースに沿って軸方向に並んだ複数の半リングとを有する二つの部材を備え、一方の前記部材における前記半リングの先端部と、他方の前記部材における前記半リングの先端部とを係合させる。前記複数の半リングは、前記ベースの軸方向端部に配置された第一半リング部と、前記ベースの軸方向中央部に配置され、前記第一半リング部よりも柔軟な第二半リング部とを含む。【選択図】図１
2020175524.tif 000002
【特許請求の範囲】
【請求項１】
棒状のベース及び該ベースから突出し、前記ベースに沿って軸方向に並んだ複数の半リングとを有する二つの部材を備え、一方の前記部材における前記半リングの先端部と、他方の前記部材における前記半リングの先端部とを係合させる綴じ具であって、
前記複数の半リングは、
前記ベースの軸方向端部に配置された第一半リング部と、
前記ベースの軸方向中央部に配置され、前記第一半リング部よりも柔軟な第二半リング部とを含む
綴じ具。
【請求項２】
前記二つの部材それぞれの前記第一半リング部は互いに嵌合する嵌合構造を有し、前記第一半リング部の厚みは前記第二半リング部の厚みよりも大きい
請求項１に記載の綴じ具。
【請求項３】
前記一方の部材における前記第二半リング部の先端部分と、前記他方の部材における前記第二半リング部の先端部分とは、前記ベースの反対側に向けて突出するようにそれぞれ湾曲し、係合時に前記第二半リング部の径方向に重畳する
請求項１又は２に記載の綴じ具。
【発明の詳細な説明】
【技術分野】
【０００１】
本技術は、例えば紙葉を綴じる綴じ具に関する。
【背景技術】
【０００２】
棒状のベースと、該ベースから突出し、前記ベースに沿って軸方向に並んだ複数の半リング部とを有する二つの部材を備える綴じ具が従来提案されている。綴じ具は、紙葉に形成した孔に半リング部を挿入させて、二つの部材における半リング部それぞれの先端部分を突き合わせて、紙葉を綴じる（例えば特許文献１参照）。
【先行技術文献】
【特許文献】
【０００３】
【特許文献１】特開２０１９―２５８４４号公報
【発明の概要】
【発明が解決しようとする課題】
【０００４】
綴じ具に綴じた紙葉にユーザが筆記しているときに、ユーザの手又は腕が綴じ具に当たり、筆記の妨げとなるおそれがある。
【０００５】
本開示は斯かる事情に鑑みてなされたものであり、筆記の妨げとなることを抑制することができる綴じ具を提供することを目的とする。
【課題を解決するための手段】
【０００６】
本開示に係る綴じ具は、棒状のベース及び該ベースから突出し、前記ベースに沿って軸方向に並んだ複数の半リングとを有する二つの部材を備え、一方の前記部材における前記半リングの先端部と、他方の前記部材における前記半リングの先端部とを係合させる綴じ具であって、前記複数の半リングは、前記ベースの軸方向端部に配置された第一半リング部と、前記ベースの軸方向中央部に配置され、前記第一半リング部よりも柔軟な第二半リング部とを含む。
【０００７】
ユーザの手又は腕は、筆記中に、ベースの軸方向中央部に配置されたリングに当たることが多い。本開示においては、柔軟な第二半リング部をベースの軸方向中央部に配置することによって、ユーザの手又は腕が第二半リング部に当たった場合、第二半リング部は変形し、筆記の妨害が抑制される。
【０００８】
本開示に係る綴じ具は、前記二つの部材それぞれの前記第一半リング部は互いに嵌合する嵌合構造を有し、前記第一半リング部の厚みは前記第二半リング部の厚みよりも大きい。
【０００９】
本開示においては、第一半リング部が嵌合構造を有し、また第二半リング部よりも大きい厚みを有し、高い剛性を有するので、紙葉を綴じた場合、綴じ具は容易には開かない。
【００１０】
本開示に係る綴じ具は、前記一方の部材における前記第二半リング部の先端部分と、前記他方の部材における前記第二半リング部の先端部分とは、前記ベースの反対側に向けて突出するようにそれぞれ湾曲し、係合時に前記第二半リング部の径方向に重畳する。
【００１１】
本開示においては、先端部分を重畳させることによって、第二半リング部によって紙葉を綴じることができる。またベースの反対側に向けて突出するように第二半リング部は湾曲するので、軸方向に沿って第二半リング部が移動することを抑制することができる。
【発明の効果】
【００１２】
本開示に係る綴じ具にあっては、柔軟な第二半リング部をベースの軸方向中央部に配置することによって、ユーザの手又は腕が第二半リング部に当たった場合、第二半リング部は変形し、筆記の妨害を抑制できる。即ち、紙葉の挿脱と筆記の妨害の回避とを両立させることができる。
【図面の簡単な説明】
【００１３】
【図１】綴じ具の略示分解平面図である。
【図２】左嵌合半リング部及び右嵌合半リング部の略示拡大平面図である。
【図３】図２に示すＩＩＩ−ＩＩＩ線を切断線とした略示断面図である。
【図４】左嵌合半リング部の上部の略示右側面拡大図及び右嵌合半リング部の上部の略示左側面拡大図である。
【図５】左嵌合半リング部及び右嵌合半リング部の上部の略示底面拡大図である。
【図６】図２に示すＶＩ−ＶＩ線を切断線とした左嵌合半リング部の略示断面図、及びＶＩ−ＶＩ線に対応した位置にて切断した右嵌合半リング部の略示断面図である。
【図７】左上半リング部及び右下半リング部の略示正面断面図、並びに右上半リング部及び左下半リング部の略示背面断面図である。
【図８】左上半リング部の上部の部分拡大右側面図、及び右上半リング部の上部の部分拡大左側面図である。
【図９】右下半リング部の上部の部分拡大左側面図、及び左下半リング部の上部の部分拡大左側面図である。
【図１０】構成を一部変更した左嵌合半リング部及び右嵌合半リング部の略示拡大断面図である。
【発明を実施するための形態】
【００１４】
以下本発明を実施の形態に係る綴じ具１を示す図面に基づいて説明する。以下の説明では、図に示す上下左右前後を使用する。図１は、綴じ具１の略示分解平面図である。綴じ具１は、孔を形成した紙葉及び表紙を綴じることができる。
【００１５】
綴じ具１は、左右にそれぞれ配置された第一部材１０及び第二部材２０を備える。第一部材１０は棒状のベース１１を備える。ベース１１は前後方向に延びる。即ちベース１１の軸方向は前後方向である。ベース１１の下側に複数のフック１２が前後方向に並設されている。ベース１１の後端部に後カバー１３が設けられている。後カバー１３は有底筒状をなし、その底面は後側に配置され、開口は前側に配置される。複数のフック１２には後述のシャフトが掛止され、シャフトの後端は後カバー１３に挿入される。ベース１１には、左側に膨らんだ複数の左嵌合半リング部１４と、左側に膨らんだ複数の左上半リング部１５と、左側に膨らんだ複数の左下半リング部１６とが前後方向に並設されている。
【００１６】
左嵌合半リング部１４はベース１１の上端部及び下端部に配置され、ベース１１から上方に突出する。例えば、ベース１１の上端部及び下端部それぞれに、三つの左嵌合半リング部１４が設けられている。なお左嵌合半リング部１４の数は三つに限定されず、二つ以下でもよいし、四つ以上でもよい。左上半リング部１５と、左下半リング部１６とはベース１１の中央部分に交互に配置され、ベース１１から上方に突出する。左上半リング部１５の上端部は左下半リング部１６の上端部よりも右側に延びる。左嵌合半リング部１４、左上半リング部１５及び左下半リング部１６の軸方向は前後方向である。左嵌合半リング部１４は第一半リング部に対応し、左上半リング部１５及び左下半リング部１６は第二半リング部に対応する。
【００１７】
第二部材２０は棒状のベース２１を備える。ベース２１は前後方向に延びる。即ちベース２１の軸方向は前後方向である。ベース２１の下側に複数のフック２２が前後方向に並設されている。第一部材のフック１２と第二部材２０のフック２２とは、前後方向に沿って、千鳥状に配置される。ベース２１の前端部に前カバー２３が設けられている。前カバー２３は有底筒状をなし、その底面は前側に配置され、開口は後側に配置される。複数のフック２２には後述のシャフトが掛止され、シャフトの前端は前カバー２３に挿入される。ベース２１には、右側に膨らんだ複数の右嵌合半リング部２４と、右側に膨らんだ複数の右上半リング部２５と、右側に膨らんだ複数の右下半リング部２６とが前後方向に並設されている。
【００１８】
右嵌合半リング部２４はベース２１の上端部及び下端部に配置され、ベース２１から上方に突出する。例えば、ベース２１の上端部及び下端部それぞれに、三つの右嵌合半リング部２４が設けられている。なお右嵌合半リング部２４の数は三つに限定されず、二つ以下でもよいし、四つ以上でもよい。右嵌合半リング部２４の先端部分は、左嵌合半リング部１４の先端部分に対向する。
【００１９】
右上半リング部２５と、右下半リング部２６とはベース２１の中央部分に交互に配置され、ベース２１から上方に突出する。右上半リング部２５の上端部は右下半リング部２６の上端部よりも右側に延びる。左右方向において、右上半リング部２５は左下半リング部１６に対向し、右下半リング部２６は左上半リング部１５に対向する。右嵌合半リング部２４、右上半リング部２５及び右下半リング部２６の軸方向は前後方向である。右嵌合半リング部２４は第一半リング部に対応し、右上半リング部２５及び右下半リング部２６は第二半リング部に対応する。
【００２０】
綴じ具１はシャフトを備え、該シャフトは前後方向に延びる。第一部材１０及び第二部材２０のフック１２、２２はシャフトに掛止する。シャフトの前端は前カバー２３に挿入され、後端は後カバー１３に挿入される。第一部材１０及び第二部材２０はシャフトの軸回りに回転可能である。シャフトには、ばね３が取り付けられており、該ばね３は第一部材１０を前側に付勢し、第二部材２０を後側に付勢する。ばね３の付勢力によって、左嵌合半リング部１４と、右嵌合半リング部２４とは嵌合する。
【００２１】
図２は、左嵌合半リング部１４及び右嵌合半リング部２４の略示拡大平面図、図３は、図２に示すＩＩＩ−ＩＩＩ線を切断線とした略示断面図である。左嵌合半リング部１４の上部前側に凹部１４ａが形成されており、左嵌合半リング部１４の先端部分には、前側に突出した凸部１４ｂが形成されている。
【００２２】
右嵌合半リング部２４の上部後側に凹部２４ａが形成されており、右嵌合半リング部２４の先端部分には、後側に突出した凸部２４ｂが形成されている。右嵌合半リング部２４の凸部２４ｂの形状は、左嵌合半リング部１４の凹部１４ａに倣った形状であり、左嵌合半リング部１４の凸部１４ｂの形状は、右嵌合半リング部２４の凹部２４ａに倣った形状である。右嵌合半リング部２４の凸部２４ｂは左嵌合半リング部１４の凹部１４ａに嵌合し、左嵌合半リング部１４の凸部１４ｂは、右嵌合半リング部２４の凹部２４ａに嵌合する。ばね３の付勢力によって、嵌合した凹部１４ａ、２４ａ及び凸部１４ｂ、２４ｂは容易には外れない。
【００２３】
図４は、左嵌合半リング部１４の上部の略示右側面拡大図及び右嵌合半リング部２４の上部の略示左側面拡大図、図５は、左嵌合半リング部１４及び右嵌合半リング部２４の上部の略示底面拡大図、図６は、図２に示すＶＩ−ＶＩ線を切断線とした左嵌合半リング部１４の略示断面図、及びＶＩ−ＶＩ線に対応した位置にて切断した右嵌合半リング部２４の略示断面図である。図４〜図６において、右嵌合半リング部２４の前後方向及び符号は括弧書きにて表されている。
【００２４】
左嵌合半リング部１４の上部内周面から板部１４ｆが右側に突出している。板部１４ｆは凹部１４ａの下側に配置されており、凸部１４ｂよりも左側に配置されている。板部１４ｆ上面の前後方向中央部には下溝１４ｇが形成されており、該下溝１４ｇは左右方向に延びる。下溝１４ｇの前側に、上方に突出した突出部１４ｋが形成されている。下溝１４ｇの前側面は、下溝１４ｇの底面に対して傾斜した傾斜面１４ｈを形成する。傾斜面１４ｈは、後側に向かうに従って下降するように傾斜する。傾斜面１４ｈは突出部１４ｋの上面に連なる。
【００２５】
左嵌合半リング部１４の凸部１４ｂの下部後側に上溝１４ｃが形成されている。上溝１４ｃは左右方向に延びる。凸部１４ｂの下部前側に下側に突出した突出部１４ｅが形成されている。上溝１４ｃの前側面は傾斜面１４ｄを形成し、該傾斜面１４ｄは前側に向かうに従って下降するように傾斜する。傾斜面１４ｄは突出部１４ｅの下面に連なる。
【００２６】
右嵌合半リング部２４の上部にも、左嵌合半リング部１４と同様に、板部２４ｆ、下溝２４ｇ、傾斜面２４ｈ及び突出部２４ｋが形成されている。右嵌合半リング部２４の下溝２４ｇの後側面が傾斜面２４ｈを形成し、該傾斜面２４ｈは前側に向かうに従って下降するように傾斜する。突出部２４ｋは板部２４ｆの後部上面に形成される。
【００２７】
右嵌合半リング部２４の凸部２４ｂの下部にも、左嵌合半リング部１４の凸部１４ｂと同様に、上溝２４ｃ、突出部２４ｅ及び傾斜面２４ｄが形成されている。右嵌合半リング部２４の上溝２４ｃは凸部２４ｂの前側に形成され、突出部２４ｅは凸部２４ｂの後側に形成されている。また凸部２４ｂの傾斜面２４ｄは後側に向かうに従って下降するように傾斜する。傾斜面２４ｄは突出部２４ｅの下端に連なる。
【００２８】
左嵌合半リング部１４の凸部１４ｂの形状は、右嵌合半リング部２４の凹部２４ａの形状に対応し、右嵌合半リング部２４の凸部２４ｂの形状は、左嵌合半リング部１４の凹部１４ａの形状に対応する。綴じ具１を閉じた場合、左嵌合半リング部１４の凸部１４ｂは、右嵌合半リング部２４の凹部２４ａに嵌合し、右嵌合半リング部２４の凸部２４ｂは、左嵌合半リング部１４の凹部１４ａに嵌合する。
【００２９】
左嵌合半リング部１４の上溝１４ｃ、突出部１４ｅ及び傾斜面１４ｄの位置は、右嵌合半リング部２４の突出部２４ｋ、下溝２４ｇ及び傾斜面２４ｈの位置にそれぞれ対応し、右嵌合半リング部２４の上溝２４ｃ、突出部２４ｅ及び傾斜面２４ｄの位置は、左嵌合半リング部１４の突出部１４ｋ、下溝１４ｇ及び傾斜面１４ｈの位置にそれぞれ対応する。綴じ具１を閉じた場合、左嵌合半リング部１４の上溝１４ｃには、右嵌合半リング部２４の突出部２４ｋが挿入され、左嵌合半リング部１４の突出部１４ｅは、右嵌合半リング部２４の下溝２４ｇに挿入され、左嵌合半リング部１４の傾斜面１４ｄは、右嵌合半リング部２４の傾斜面２４ｈに対向する。ユーザは、凸部２４ｂに対して、前方への力を作用させることによって、突出部２４ｅを傾斜面１４ｈに沿って移動させて、嵌合を解除させることができる。
【００３０】
右嵌合半リング部２４の上溝２４ｃには、左嵌合半リング部１４の突出部１４ｋが挿入され、右嵌合半リング部２４の突出部２４ｅは、左嵌合半リング部１４の下溝１４ｇに挿入され、右嵌合半リング部２４の凸部２４ｂの傾斜面２４ｄは、左嵌合半リング部１４の板部１４ｆの傾斜面１４ｈに対向する。突出部２４ｅは下溝１４ｇに嵌まるので、突出部２４ｅは容易には外れない。ユーザは、凸部１４ｂに対して、後方への力を作用させることによって、突出部２４ｅを傾斜面１４ｈに沿って移動させて、嵌合を解除させることができる。
【００３１】
図７は、左上半リング部１５及び右下半リング部２６の略示正面断面図、並びに右上半リング部２５及び左下半リング部１６の略示背面断面図、図８は、左上半リング部１５の上部の部分拡大右側面図、及び右上半リング部２５の上部の部分拡大左側面図、図９は、右下半リング部２６の上部の部分拡大左側面図、及び左下半リング部１６の上部の部分拡大左側面図である。図７〜図９において、右上半リング部２５及び左下半リング部１６の前後方向と左右方向、並びに符号は括弧書きにて表されている。
【００３２】
左上半リング部１５の内周面に周方向に延びる溝１５ａが形成されている。左上半リング部１５の先端部分に右方に突出した突出部１５ｂが形成されている。突出部１５ｂの下面１５ｃは上方に突出するように湾曲している。図８に示すように、右側面視において下面１５ｃは円弧状をなす。下面１５ｃの左端に下方に突出した係止面１５ｄが形成されている。係止面１５ｄと左上半リング部１５の内周面とは傾斜面１５ｅを介して連なる。
【００３３】
右下半リング部２６の内周面に周方向に延びる溝２６ａが形成されている。右下半リング部２６の先端部分の上面２６ｂは、上方に突出するように湾曲している。図９に示すように、左側面視において上面２６ｂは円弧状をなす。上面２６ｂと下面１５ｃとは対応した形状を有する。右下半リング部２６の先端部分の端面は突き当たり面２６ｃを形成する。綴じ具１を閉じた場合、突出部１５ｂは上面２６ｂの上側に配置され、上面２６ｂと下面１５ｃは対向し、突き当たり面２６ｃは係止面１５ｄに突き当たる。即ち、左上半リング部１５の先端部分と右下半リング部２６の先端部分とは、リングの径方向に重畳する。
【００３４】
右上半リング部２５も、左上半リング部１５と同様に、溝２５ａ、突出部２５ｂ、下面２５ｃ、係止面２５ｄ及び傾斜面２５ｅを備え、左下半リング部１６も、右下半リング部２６と同様に、溝１６ａ、上面１６ｂ及び突き当たり面１６ｃを有する。前記溝２５ａ、突出部２５ｂ、下面２５ｃ、係止面２５ｄ及び傾斜面２５ｅは右側に配置され、前記溝１６ａ、上面１６ｂ及び突き当たり面１６ｃは左側に配置される。綴じ具１を閉じた場合、突出部２５ｂは上面１６ｂの上側に配置され、上面１６ｂと下面２５ｃは対向し、突き当たり面１６ｃは係止面２５ｄに突き当たる。即ち、右上半リング部２５の先端部分と左下半リング部１６の先端部分とは、リングの径方向に重畳する。
【００３５】
図３に示すように、左嵌合半リング部１４の中途部の厚みをＡ１とし、左嵌合半リング部１４の上部の最も厚い部分の厚みをＢ１とし、また図７に示すように、左上半リング部１５の中途部の厚みをＡ２とし、左上半リング部１５の上部の最も厚い部分の厚みをＢ２とした場合、厚みＡ１は厚みＡ２よりも大きく、厚みＢ１は厚みＢ２よりも大きい。
【００３６】
なお右嵌合半リング部２４の中途部の厚みは、左嵌合半リング部１４と同様にＡ１であり、右嵌合半リング部２４の上部の最も厚い部分の厚みは、左嵌合半リング部１４と同様にＢ１である。また右下半リング部２６の中途部の厚みは、左上半リング部１５と同様にＡ２である。右下半リング部２６の上部の最も厚い部分の厚みは、左上半リング部１５よりも小さい。
【００３７】
図示は省略しているが、右上半リング部２５の中途部の厚みはＡ２であり、右上半リング部２５の上部の最も厚い部分の厚みはＢ２である。また左下半リング部１６の中途部の厚みはＡ２であり、左下半リング部１６の上部の最も厚い部分の厚みは、右上半リング部２５よりも小さい。
【００３８】
即ち、左上半リング部１５、左下半リング部１６、右上半リング部２５及び右下半リング部２６は、全体的に、左嵌合半リング部１４及び右嵌合半リング部２４よりも薄く、柔軟に構成されている。また左嵌合半リング部１４及び右嵌合半リング部２４よりも左嵌合半リング部１４及び右嵌合半リング部２４は互いに嵌合する嵌合構造を有し、左嵌合半リング部１４及び右嵌合半リング部２４の厚みは、全体的に、左上半リング部１５、左下半リング部１６、右上半リング部２５及び右下半リング部２６の厚みよりも大きい。
【００３９】
図１０は、構成を一部変更した左嵌合半リング部１４及び右嵌合半リング部２４の略示拡大断面図である。嵌合構造は上述した構造に限定されない。例えば、図１０に示すように、左嵌合半リング部１４の先端に凸部１４１を形成し、右嵌合半リング部２４の先端に凹部２４１を形成して、凸部１４１を凹部２４１に挿入し、左嵌合半リング部１４及び右嵌合半リング部２４を嵌合させてもよい。
【００４０】
なお左嵌合半リング部１４及び右嵌合半リング部２４と、左上半リング部１５、左下半リング部１６、右上半リング部２５及び右下半リング部２６とを異なる材料によって構成し、左嵌合半リング部１４及び右嵌合半リング部２４を左上半リング部１５、左下半リング部１６、右上半リング部２５及び右下半リング部２６よりも高い剛性にしてもよい。例えば、左嵌合半リング部１４及び右嵌合半リング部２４をポリプロピレン材、ＡＢＳ樹脂材又はアクリル樹脂材などで構成し、左上半リング部１５、左下半リング部１６、右上半リング部２５及び右下半リング部２６をポリエチレン材、軟質塩化ビニル材などで構成してもよい。この場合、左嵌合半リング部１４及び右嵌合半リング部２４と、左上半リング部１５、左下半リング部１６、右上半リング部２５及び右下半リング部２６との厚みは同じでもよい。
【００４１】
実施の形態に係る綴じ具１にあっては、柔軟な左上半リング部１５、左下半リング部１６、右上半リング部２５及び右下半リング部２６をベース１１、２１の軸方向中央部に配置することによって、ユーザの手又は腕が左上半リング部１５、左下半リング部１６、右上半リング部２５及び右下半リング部２６に当たった場合、左上半リング部１５、左下半リング部１６、右上半リング部２５及び右下半リング部２６は変形し、筆記の妨害が抑制される。
【００４２】
例えば全てのリングを柔軟に構成させた場合、筆記の妨害を回避することはできるが、紙葉の挿脱は困難となる。何故なら、柔軟な半リング部同士を嵌合させて、嵌合した状態を保つことができないからである。実施の形態に係る綴じ具１にあっては、剛性の高い半リング部と、柔軟な半リング部とを備えるので、紙葉の挿脱と筆記の妨害の回避とを両立させることができる。
【００４３】
また第一半リング部が嵌合構造を有し、また高い剛性を有するので、紙葉を綴じた場合、綴じ具１は容易には開かない。
【００４４】
また左上半リング部１５及び右下半リング部２６の先端部分を重畳させ、右上半リング部２５及び左下半リング部１６の先端部分を重畳させることによって、紙葉を綴じることができる。またベース１１、２１の反対側に向けて突出するように各半リング部の先端部分は湾曲するので、前後方向（リングの軸方向）に沿って各半リング部が移動することを抑制することができる。
【００４５】
なお上面１６ｂ、２６ｂ及び下面１５ｃ、２５ｃは円弧状に湾曲しているが、上側に頂点が位置するように９０度回転させた「く」の字状、下側が開口するように９０度回転させた「コ」の字状に屈曲していてもよい。即ち、リングの軸方向への移動が妨げられるように、リングの径方向外向きに向けて突出するように変形していればよい。
【００４６】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４７】
１  綴じ具
１０  第一部材
１１  ベース
１４  左嵌合半リング部（第一半リング部）
１４ａ  凹部
１４ｂ  凸部
１５  左上半リング部（第二半リング部）
１５ｂ  突出部
１５ｃ  下面
１６  左下半リング部（第二半リング部）
１６ｂ  上面
２０  第二部材
２１  ベース
２４  右嵌合半リング部（第一半リング部）
２４ａ  凹部
２４ｂ  凸部
２５  右上半リング部（第二半リング部）
２５ｂ  突出部
２５ｃ  下面
２６  右下半リング部（第二半リング部）
２６ｂ  上面
【図１】
2020175524.tif 000003
【図２】
2020175524.tif 000004
【図３】
2020175524.tif 000005
【図４】
2020175524.tif 000006
【図５】
2020175524.tif 000007
【図６】
2020175524.tif 000008
【図７】
2020175524.tif 000009
【図８】
2020175524.tif 000010
【図９】
2020175524.tif 000011
【図１０】
2020175524.tif 000012